(57)【要約】【課題】本発明は、複数のロケーションエリア、及び移動ネットワークの地理的に同種の一組のセルを収集したサービスエリアに編成され、フェムトセルが特定の追加のサービスエリアに収集される移動ネットワーク１０に関する。【解決手段】フェムトセル３０に結合されたユーザー機器１４を対象とした受信される電話呼の着信は、フェムトセルに対応するサービスエリアコードＳＡＣ及びロケーションエリアコードＬＡＣを含む粗いロケーションと、フェムトセルに関連付けられたインターネットボックス２０を識別するＩＰアドレス及びＩＮＳＥＥコード等の一意のデータを含む精細なロケーションとが交換局に通信されるロケーションステップをトリガーする。したがって、フェムトセルは、オープンモードで動作することができ、各フェムトセルは、移動ネットワーク事業者に登録された任意のユーザー機器に結合することができる。【選択図】図１
2015104129.tif 000002
【特許請求の範囲】
【請求項１】
電気通信ネットワークにおいて受信される呼の受信者である移動ユーザー機器（１４；ＭＳ）の位置を特定するための方法であって、前記電気通信ネットワークは、
移動ネットワーク事業者（ＭＮＯ）の移動ネットワーク（１０）であって、
交換局（ＶＭＳＣ）及び加入者データベース（ＨＬＲ）を有するコアネットワークと、
ロケーションプラットフォーム（ＧＭＬＣ）と、
を備える、移動ネットワークと、
固定コアネットワークと、それぞれについて一意のボックス識別データを有する、前記固定ネットワークの終端機器を形成する複数の個々のボックス（２０；ＢＯＸ）とを備える、インターネットサービスプロバイダー（ＩＳＰ）の固定ネットワーク（１８）と、
を備え、
前記ボックスのうちの幾つかには、近傍の移動ユーザー機器（１４；ＭＳ）との一時的なワイヤレス結合（３２）を可能にするフェムトセルタイプ（３０；ＦＴ）の短距離セルラー放出器／受信機モジュールが設けられ、
該方法において、
前記移動ネットワークは、それぞれがロケーションエリアコード（ＬＡＣ）によって識別される複数のロケーションエリア（ＬＡ）に編成され、
前記各ロケーションエリアは、それぞれがサービスエリアコード（ＳＡＣ）によって識別される一組のサービスエリア（ＳＡ）を収集し、該各サービスエリアは、前記移動ネットワークの地理的に同種の一組のセルを収集し、
前記移動ネットワークは、
該移動ネットワークの前記ロケーションエリア（ＬＡ）の前記サービスエリア（ＳＡ）に対応するサービスが申告されるインテリジェントネットワークサービスプラットフォーム（ＳＣＰ）を更に備え、
前記フェムトセルは、オープンモードで動作し、前記移動ネットワークの前記各フェムトセルは、前記移動ネットワーク事業者（ＭＮＯ）に登録されているとともに該フェムトセルの近傍にいる任意のユーザー機器（ＭＳ）に結合することができ、このユーザー機器は、前記個々のボックスには事前に登録されておらず、
前記フェムトセル（ＦＴ）に結合された前記ユーザー機器（ＭＳ）を対象にした受信電話呼の着信は、以下のステップ、すなわち、
ａ）呼受信者情報と、前記交換局（ＶＭＳＣ）を識別する前記加入者データベース（ＨＬＲ）の問合わせとを含む前記呼を前記移動ネットワークによって受信するステップと、
ｂ）前記インテリジェントネットワークサービスプラットフォーム（ＳＣＰ）を識別するマークを前記呼受信者情報に加えるステップと、
ｃ）前記インテリジェントネットワークサービスプラットフォーム（ＳＣＰ）によって、ユーザー機器ロケーション要求を前記ロケーションプラットフォーム（ＧＭＬＣ）に送信するステップと、
ｄ）前記ロケーションプラットフォーム（ＧＭＬＣ）によって、粗いロケーション要求を前記交換局（ＶＭＳＣ）に送信するステップと、
ｅ）前記交換局（ＶＭＳＣ）によって、前記フェムトセルに対応する前記サービスエリアコード（ＳＡＣ）及び前記ロケーションエリアコード（ＬＡＣ）を含む粗いロケーションを前記ロケーションプラットフォーム（ＧＭＬＣ）に送信するステップと、
を含むシーケンスをトリガーし、
該方法は、
前記ロケーションエリア（ＬＡ）のうちの少なくとも１つが、フェムトセル識別子が収集される特定の追加のサービスエリア（ＳＡ＊）を含み、
前記ステップのシーケンスが、以下の後続のステップ、すなわち、
ｆ）前記ロケーションプラットフォーム（ＧＭＬＣ）によって、前記ロケーションエリア（ＬＡ）が、前記フェムトセル識別子が収集される特定の追加のサービスエリア（ＳＡ＊）のうちの１つに対応するか否かを判断するステップと、
ｇ）対応する場合には、前記ロケーションプラットフォーム（ＧＭＬＣ）によって、精細なロケーション要求メッセージを前記交換局（ＶＭＳＣ）を介して前記フェムトセルに送信するステップと、
ｈ）前記交換局（ＶＭＳＣ）によって、前記フェムトセルに関連付けられた前記ボックスの一意の識別データを含む精細なロケーションを前記フェムトセルから取得するステップと、
ｉ）前記交換局（ＶＭＳＣ）によって、前記精細なロケーションを前記ロケーションプラットフォーム（ＧＭＬＣ）に送信するステップと、
を更に含むことを特徴とする、電気通信ネットワークにおいて受信される呼の受信者である移動ユーザー機器の位置を特定するための方法。
【請求項２】
前記シーケンスは、以下の最終ステップ、すなわち、
ｊ）前記ロケーションプラットフォーム（ＧＭＬＣ）によって、前記一意のボックス識別データ並びに前記フェムトセルのサービスエリアコード及びロケーションエリアコードが加えられる呼データチケット（ＣＤＲ）を生成するステップ、
を更に含む、請求項１に記載の方法。
【請求項３】
前記インテリジェントネットワークサービスプラットフォーム（ＳＣＰ）は、３ＧＰＰの仕様によるＣＡＭＥＬタイプ又はＩＮＡＰタイプのサービスプラットフォームである、請求項１に記載の方法。
【請求項４】
前記ステップｇ）は、前記ロケーションプラットフォーム（ＧＭＬＣ）によって、３ＧＰＰの仕様によるＰＳＬメッセージを前記交換局（ＶＭＳＣ）に送信するステップを含み、前記ステップｉ）は、返答として、前記交換局（ＶＭＳＣ）によって、３ＧＰＰの仕様によるＰＳＬ＿Ａｃｋメッセージを前記ロケーションプラットフォーム（ＧＭＬＣ）に送信するステップを含む、請求項１に記載の方法。
【請求項５】
前記一意のボックス識別データは、前記ボックスに関連付けられたＩＰアドレス（ＩＰ＠）と、前記ボックスのロケーションの場所の地理的コード（ＩＮＳＥＥコード）とを含む、請求項１に記載の方法。
【請求項６】
前記精細なロケーション要求メッセージは、３ＧＰＰの仕様によるロケーション報告制御メッセージであり、前記返答メッセージは、３ＧＰＰの仕様によるロケーション報告メッセージである、請求項１に記載の方法。
【請求項７】
前記一意のボックス識別データは、地理的経度／緯度座標の代わりにこれらのデータを用いることによって前記ロケーション報告メッセージにカプセル化される、請求項６に記載の方法。
【発明の詳細な説明】
【技術分野】
【０００１】
本発明は、フェムトセルを実施する移動通信ネットワークに関する。
【背景技術】
【０００２】
フェムトセルは、移動電話（ＭＳ、移動局）を結合して、音声通信の通過及び受信、ショートメッセージ（ＳＭＳ）の放出又は受信、デジタルデータの交換等を行うことができる、非常に低い電力及び縮小した範囲（多くとも数メートル又は数十メートル）の移動電話中継器である。
【０００３】
移動電話から見ると、フェムトセルは、機能的には、マクロセル中継器（基地局ＢＳ又はｅＮｏｄｅＢ）と同等であり、ローミング、セル間ハンドオーバー等の同じ機能を有する。特に、移動電話がフェムトセルのカバレッジエリア内にいるとき、ハンドオーバーが、（外部の無線ネットワークの）マクロセルラーアンテナからフェムトセルのアンテナに自動的に行われる。同様に、ユーザーがフェムトセルのカバレッジエリアを離れるとき、このユーザーの電話は、マクロセルネットワークをシームレスに見つける。
【０００４】
フェムトセルの特殊なところは、インターネットサービスプロバイダーのボックス型の固定端末機器（以下、「ボックス」又は「インターネットボックス」と呼ぶ）に接続されるということである。この固定端末機器には、フェムトセルに結合された移動電話と交換される信号を受信及び放出するのに用いられるｘＤＳＬタイプの有線ベースのＩＰリンク又はＦＴＴＨタイプの光ファイバーリンクにインターフェースするためのモデムが含まれる。
【０００５】
したがって、この技法は、２つの事業者、すなわち、移動ネットワーク事業者（ＭＮＯ）及びインターネットサービスプロバイダー（ＩＳＰ）を用いる。
【０００６】
フェムトセルを介した通信の利益は複数ある。すなわち、第１に、この技法によって、特に家屋の内部においては、周囲の上部構造の遮蔽効果に起因して、外部のマクロセルラーネットワークの無線カバレッジが不十分であるか又は非常に変動性があるエリアをサービングすることが可能になる。第２に、無線ネットワークの負荷が大きく削減される。なぜならば、通信は、ＭＮＯネットワーク無線インターフェースを介してルーティングされるのではなく、ＩＳＰ有線ベースのネットワーク又は光ネットワークの高速ＩＰ接続を通じてＭＮＯコアネットワークに向けてルーティングされるからである。ＭＮＯネットワーク無線インターフェースを介したルーティングは、非常に密集したカバレッジエリアでは、時にフル負荷になる場合がある。
【０００７】
その上、フェムトセルの実施は、フェムトセルが、ＩＳＰ及びＭＮＯの双方において既存のインフラストラクチャのみを用いる限りにおいて極めて単純であり、ＩＳＰボックスへの「フェムトモジュール」の単純な接続又はプラグ接続によって設置することができる（本明細書の以下では、単純にするために、「フェムトセル」という用語は、このモジュールを示すのにも単に用いられる）。
【０００８】
フェムトセルは、通常、「クローズド」タイプである。すなわち、インターネットボックス所有者は、この所有者のボックスにリンクされたフェムトセルに接続することを許可された移動電話番号をＭＮＯに申告しなければならない。この許可された番号は、例えば、それらのＳＩＭ／ＵＳＩＭカードにＩＭＳＩ加入者識別子として含まれるキーによって識別される。ＭＮＯが呼又はメッセージをこれらの番号のうちの１つから／１つへ受信／放出するとき、ユーザーがネットワークのマクロセルに位置していない場合、ＭＮＯは、このユーザーをどのフェムトセル（複数の場合もある）に結合することができるのかを事前に知っている。したがって、ユーザーをネットワーク内で容易に見つけることができ、地理的に位置を特定することもできる。なぜならば、フェムトセルは、（ＩＳＰによって）知られている場所、すなわち、用いられているｘＤＳＬライン又はＦＴＴＨラインの終端に固定して設置されたボックスに接続されているからである。
【先行技術文献】
【特許文献】
【０００９】
【特許文献１】欧州特許出願公開第２２５２１１４号
【特許文献２】米国特許出願公開第２０１１／００５３６０９号
【発明の概要】
【発明が解決しようとする課題】
【００１０】
本発明は、これとは逆に、「オープン」タイプのフェムトセルネットワーク、すなわち、ＭＮＯの任意の加入者を、ボックス所有者による事前の登録なしで、ボックス所有者にトランスペアレントに、近くに位置しているフェムトセルに結合することができるフェムトセルネットワークの実施を目的としている。
【００１１】
フェムトセルが当該フェムトセルを設置した加入者のニーズのみに応えるクローズドネットワークとは逆に、オープンネットワーク上では、呼又はＳＭＳが、このフェムトセルの近傍に位置している移動電話から放出されようが、そのような移動電話に放出されようが、それらの呼又はＳＭＳの位置を正確に特定することは可能ではない。
【００１２】
実際には、特定の測定が行われない場合の唯一の可能なロケーションは、３ＧＰＰの仕様によって定義された「サービスエリア」（ＳＡ）によって与えられるものである。これらのサービスエリアは、地理的状況と、例えば、警察隊、消防隊等の介入セクターのような、このエリアに割り当てられた特定の「サービス」とに応じて比較的多くの数のセルを収集することができる。３ＧＰＰの仕様は、「ロケーションエリア」（ＬＡ）当たり限られた数のそのようなサービスエリアのみを認めている。ロケーションエリアは、それ自体で行政区、大都市、又は大都市の単に一部分等の非常に拡張されたエリアをカバーすることができる。
【００１３】
オープンタイプネットワークにおいてフェムトセルに接続された端末の位置を特定するためのそのような技法は、特に特許文献１及び特許文献２に公開されている。
【００１４】
ＭＮＯのネットワークのマクロセルの場合、ＭＮＯに利用可能なジオロケーション情報（アンテナの地理的位置）とは異なり、呼若しくはメッセージが放出された放出元の正確なアドレス又は呼若しくはメッセージがルーティングされるべきルーティング先の正確なアドレスを知ることが可能でない限り、ロケーションエリア／サービスエリアによる粗いロケーションは不十分である。
【００１５】
しかし、この情報は、非常に重要なことに、公の機関からの公式の要請の枠組み内でＭＮＯによって提供することができなければならない。そのような要請は、実際には、具体的に識別される電話呼に関する全ての情報を記録する「チャージングチケット（charging ticket）」又はＣＤＲ（呼詳細記録）に含まれるデータの通信を課す。このチケットは、発呼側及び被呼側の識別情報、呼の日付及び時間、その継続時間、呼のタイプ（音声、ＳＭＳ等）、並びに移動ネットワークを介した呼の場合には、発呼側及び／又は被呼側の精細なロケーションを含む。
【００１６】
マクロセルネットワークの場合、このロケーションは、呼が通過した移動ネットワークの中継器（ＢＳ又はｅＮｏｄｅＢ）のアンテナの緯度及び経度によるジオロケーションである。
【００１７】
クローズドネットワークとして動作するフェムトセルネットワークの場合、このロケーションは、インターネットボックス所有者が、自身のボックスに接続されたフェムトセルを用いることを許可されたユーザーに関してＭＮＯに行った事前の申告から可能である。
【００１８】
他方、オープンネットワークのフェムトセルを介した通信の場合、この直接的な識別は可能ではない。なぜならば、ＭＮＯは、通信に関与したフェムトセルを正確に識別することができず、その地理的位置を知らないからである。この情報は、フェムトセルが接続されたインターネットボックスを提供したＩＳＰの問題である。
【課題を解決するための手段】
【００１９】
そのようなことが本発明の課題であり、本発明は、呼受信側移動体がオープンモードで動作している（すなわち、ＭＮＯの任意の加入者の電話に向けて呼を送信することができる）フェムトセルに結合されているとき、この移動体が位置している場所の位置を特定するための新たな方法を提案する。この方法は、以下のものをＭＮＯに提供することが可能でなければならない。すなわち、
−粗いロケーション（呼受信者が位置しているサービスエリアの識別コードＳＡＣ及びロケーションエリアの識別コードＬＡＣ）だけでなく、
−この通信に用いられているインターネットボックスを正確に識別することを可能にする精細なロケーションをも、
提供することが可能でなければならない。このボックスは、例えば、そのＩＰアドレス、及び／又はボックスが位置している場所、すなわち、有線ベースのｘＤＳＬライン又は光ＦＴＴＨラインの終端のロケーションの場所のＩＮＳＥＥコード（フランスのコミューンの公式の命名法の数値コード）等の正確な地理的情報によって識別される。
【００２０】
上記から分かるように、本発明の方法は、このフェムトセルを用いる移動ネットワークの加入者が誰であろうとも、任意の状況において、このフェムトセルが接続されたインターネットボックスの所有者が事前の申告を何ら行う必要なく、この精細なロケーションを得ることを可能にする。
【００２１】
したがって、本発明のロケーション方法は、単にフェムトセルの近くを「通過する」場合であっても、この加入者及びインターネットボックス所有者の双方に十分トランスペアレントな方法で、任意の移動加入者に適用することができる。
【００２２】
換言すれば、移動加入者は、マクロセルラーネットワークのアンテナではなく近傍のフェムトセルを中継器として用いていることに気付くことさえもなければ、このフェムトセルの使用が当該フェムトセルの精細なロケーションのプロセスをトリガーしていることにも気付くこともない。
【００２３】
より正確には、本発明は、ＭＮＯ移動ネットワークとＩＳＰ固定ネットワークとを備える電気通信ネットワークにおいて受信される呼の受信者である移動ユーザー機器の位置を特定するための方法を提案する。
【００２４】
移動ネットワークは、交換局と加入者データベースとを有するコアネットワークと、ロケーションプラットフォームとを備える。固定ネットワークは、固定コアネットワークと、この固定ネットワークの終端機器を形成する、それぞれについて一意のボックス識別データを有する複数の個々のボックスとを備える。これらのボックスのうちの幾つかには、近傍の移動ユーザー機器との一時的なワイヤレス結合を可能にするフェムトセルタイプの短距離セルラー放出器／受信機モジュールが設けられている。
【００２５】
移動ネットワークは、それぞれがロケーションエリアコードによって識別される複数のロケーションエリアに編成され、各ロケーションエリアは、それぞれがサービスエリアコードによって識別される一組のサービスエリアを収集する。各サービスエリアは、移動ネットワークの地理的に同種の一組のセルを収集する。移動ネットワークは、インテリジェントネットワークサービスプラットフォームを更に備え、このプラットフォームには、移動ネットワークのロケーションエリアの上記サービスエリアに対応するサービスが申告される。
【００２６】
フェムトセルは、オープンモードで動作し、移動ネットワークの各フェムトセルは、移動ネットワーク事業者に登録されているとともにそのフェムトセルの近傍にいる任意のユーザー機器に結合することができ、このユーザー機器は、個々のボックスには事前に登録されていない。
【００２７】
前記フェムトセルに結合された前記ユーザー機器を対象にした受信電話呼の着信は、以下のステップ、すなわち、
ａ）呼受信者情報と、前記交換局を識別する前記加入者データベースの問合わせとを含む前記呼を前記移動ネットワークによって受信するステップと、
ｂ）前記インテリジェントネットワークサービスプラットフォームを識別するマークを前記呼受信者情報に加えるステップと、
ｃ）前記インテリジェントネットワークサービスプラットフォームによって、ユーザー機器ロケーション要求を前記ロケーションプラットフォームに送信するステップと、
ｄ）前記ロケーションプラットフォームによって、粗いロケーション要求を前記交換局に送信するステップと、
ｅ）前記交換局によって、前記フェムトセルに対応する前記サービスエリアコード及び前記ロケーションエリアコードを含む粗いロケーションを前記ロケーションプラットフォームに送信するステップと、
を含むシーケンスをトリガーする。
【００２８】
本発明に特徴的には、
前記ロケーションエリアのうちの少なくとも１つが、フェムトセル識別子が収集される特定の追加のサービスエリアを含み、
前記ステップのシーケンスが、以下の後続のステップ、すなわち、
ｆ）前記ロケーションプラットフォームによって、前記ロケーションエリアが、前記フェムトセル識別子が収集される特定の追加のサービスエリアのうちの１つに対応するか否かを判断するステップと、
ｇ）対応する場合には、前記ロケーションプラットフォームによって、精細なロケーション要求メッセージを前記交換局を介して前記フェムトセルに送信するステップと、
ｈ）前記交換局によって、前記フェムトセルに関連付けられた前記ボックスの一意の識別データを含む精細なロケーションを前記フェムトセルから取得するステップと、
ｉ）前記交換局によって、前記精細なロケーションを前記ロケーションプラットフォームに送信するステップと、
を更に含む。
【００２９】
前記シーケンスは、以下の最終ステップ、すなわち、
ｊ）前記ロケーションプラットフォームによって、前記一意のボックス識別データ並びに前記フェムトセルのサービスエリアコード及びロケーションエリアコードが加えられる呼データチケットを生成するステップ、
を更に含むことができる。
【００３０】
前記インテリジェントネットワークサービスプラットフォームは、特に３ＧＰＰの仕様によるＣＡＭＥＬタイプ又はＩＮＡＰタイプのサービスプラットフォームとすることができる。
【００３１】
加入者ロケーション要求は、有利には、前記ステップｇ）において、前記ロケーションプラットフォームによって、３ＧＰＰの仕様によるＰＳＬメッセージを前記交換局に送信するステップを含み、前記ステップｉ）は、次に返答として、前記交換局によって、３ＧＰＰの仕様によるＰＳＬ＿Ａｃｋメッセージを前記ロケーションプラットフォームに送信するステップを含む。
【００３２】
前記一意のボックス識別データは、特に前記ボックスに関連付けられたＩＰアドレスと、前記ボックスのロケーションの場所の地理的コードとを含むことができる。
【００３３】
前記精細なロケーション要求メッセージは、特に３ＧＰＰの仕様によるロケーション報告制御メッセージとすることができるし、前記返答メッセージは、３ＧＰＰの仕様によるロケーション報告メッセージとすることができる。
【００３４】
非常に有利には、前記一意のボックス識別データは、地理的経度／緯度座標の代わりにこれらのデータを用いることによって前記ロケーション報告メッセージにカプセル化される。
【００３５】
次に、添付図面を参照して本発明の一例示の実施形態を説明する。添付図面において、同じ参照符号は、図を通じて同一又は機能的に類似の要素を示している。
【図面の簡単な説明】
【００３６】
【図１】フェムトセルを通じて放出又は受信される呼の実施に関与する様々なネットワークを概略的に示す図である。
【図２】移動電気通信ネットワークのセルをサービスエリア内に地理的に収集したものをシンボルによって示し、サービスエリア自体は、限られた数のロケーションエリア内に収集されている図である。
【図３】本発明によるロケーション方法の実施に関与するネットワークの様々なエンティティの概略表現であり、これらのエンティティ間で交換される様々なメッセージ及びデータを示す概略表現である。
【発明を実施するための形態】
【００３７】
次に、本発明の例示の実施形態を説明する。
【００３８】
本発明は、当業者が知っていると考えられる３ＧＰＰの仕様によって定義されているようなＵＭＴＳタイプのセルラーネットワークの枠組み内で説明される。
【００３９】
前置きとして、本発明及び図面では、これらの３ＧＰＰの仕様によって定義及び説明された概念及び要素を指す略語（ＳＡＣ、ＬＡＣ、ＶＭＳＣ、ＣＤＲ等）及び呼称（ロケーション報告、セキュリティゲートウェイ等）を用いることを明記しておくとともに、このため、これらの略語及び呼称はそのようなもののままであり、必要以上に詳細に説明されないことを明記しておく。
【００４０】
図１は、フェムトセルを通じて放出又は受信される呼の実施に関与する様々なネットワークを概略的に示している。
【００４１】
このセットは、移動ネットワーク事業者ＭＮＯによって管理される、複数のアンテナ１２を有する移動電気通信セルラーコアネットワーク１０を備える。各アンテナは、基地局ｅＮｏｄｅＢのマクロセルを規定し、これらのアンテナには、移動電話１４（ＭＳ、移動局）のユーザーをワイヤレス無線リンク１６によって結合することができる。
【００４２】
このセットは、ＩＳＰコアネットワーク１８と、固定ＩＰリンク２２によってこのコアネットワークに接続された一組の固定インターネットボックス（２０）（ＢＯＸで示す）とを有するインターネットサービスプロバイダーＩＳＰの固定電気通信ネットワークも備える。上記リンクは、ｘＤＳＬタイプの有線ベースのリンク又はＦＴＴＨタイプの光リンクである。
【００４３】
インターネットボックスの一例は、仏国パリにある事業者ＦｒｅｅによってＦｒｅｅｂｏｘ  Ｃｒｙｓｔａｌ又はＦｒｅｅｂｏｘ  Ｒｅｖｏｌｕｔｉｏｎ  Ｓｅｒｖｅｒという名称で販売されている機器である。これは、ＡＤＳＬ／ＦＴＴＨモデムを備えるとともに電話通信、ＩＰネットワーク（イーサネット有線ベースのネットワーク又はＷｉ−Ｆｉワイヤレスネットワークによる）、及びテレビの機能を実施する多機能インターフェースボックスである。
【００４４】
インターネットボックス２０は、従来から、１つ又は数個のコンピューター２４、テレビセット２６、電話セット２８等に接続することができる。さらに、このボックスは、近傍に位置している移動電話１４とのワイヤレス無線結合３２を可能にする低電力及び縮小した範囲のフェムトセルタイプのモジュール３０（ＦＴと呼ぶ）を収容することができる。
【００４５】
前置きで説明したように、フェムトセル３０は、移動電話側では、外部のマクロセルラーネットワークの基地局１２と機能的に同等のマイクロ基地局である。相違は、事業者側では、このフェムトセル３０が、ＩＳＰの有線ベースのＩＰネットワーク又は光固定ＩＰネットワークへのゲートウェイの役割を果たし、高速インターネット固定ネットワークからＭＮＯサービスへのアクセスを可能にするということにある。
【００４６】
フェムトセルは、ＭＮＯによって、例えば、ＩＰネットワークを介して音声呼を交換ネットワークに向けてルーティングすることを可能にする正式なセル（ｅＮｏｄｅＢと同等）とみなされる。
【００４７】
図２は、移動電気通信ネットワークのセルをサービスエリア内に地理的に収集したものをシンボルによって示し、サービスエリア自体は、限られた数のロケーションエリア内に収集されている図である。
【００４８】
より正確には、ＭＮＯネットワークのセルは、３ＧＰＰの術語による幾つかの「ロケーションエリア」（ＬＡ）間に分配される。各ＬＡは、一般に、個々のサーバーによって実施され、地理的に同種の領域、例えば、フランスの行政区又は大都市若しくは大都市のセクターに位置している全てのＭＮＯセルを収集する。各ＬＡは、ネットワーク内で一意であるＬＡＣ（ロケーションエリアコード）によって識別される。
【００４９】
各ＬＡの内部では、セルは、それ自体、３ＧＰＰの術語による「サービスエリア」（ＳＡ）内に収集される。各ＳＡは、そのＳＡに固有であるとともに同じＬＡ内で一意であるＳＡＣ（サービスエリアコード）によって識別される。
【００５０】
ＳＡは、通常、３ＧＰＰの仕様によれば、ｉ）所与のサービス、例えば、警察隊又は消防隊等の緊急サービスに割り当てられ、ｉｉ）地理的に同種のエリア、例えば、所与の警察隊又は所与の消防隊の介入のエリアに位置している、セルを収集するように構成されている。
【００５１】
オープンフェムトセルを有するネットワークの実施についての本発明の特徴として、３ＧＰＰの仕様によって提供されるサービスエリア（ＳＡ）の概念が、所与のＬＡに存在する既存のＳＡ（したがって、ネットワークのマクロセルに対応するＳＡ）に、フェムトセルに専用化された追加のＳＡを加えることによって用いられる。これらの専用化されたＳＡは、図２ではＳＡ＊で示されるが、フェムトセル（ＦＴ）識別子のみを含み、それらの地理的ロケーションに基づいて同種のフェムトセルを収集する。この地理的ロケーションは、このフェムトセルに関連付けられたインターネットボックスの物理ロケーションである。
【００５２】
いずれかのサービスエリアＳＡ＊へのフェムトセルの割り当ては、インターネットボックスへのフェムトセルの設置中に１回だけ作動される。この予備ステップの間、フェムトセル識別情報が、インターネットボックスの地理的ロケーションとともに当該インターネットボックスの識別情報と同時にＭＮＯに送信され、ＭＮＯは、次に、そのフェムトセルを、当該フェムトセルに地理的に最も近いサービスエリアＳＡ＊に割り当てる。
【００５３】
したがって、ネットワークトポロジーにおける所与のフェムトセルに対応するＳＡＣ＋ＬＡＣコードによる当該所与のフェムトセルの最初の粗いロケーションを作成することが可能である。
【００５４】
しかしながら、この最初のロケーションは不十分である。特に、この最初のロケーションによれば、公式の要請が、呼若しくはＳＭＳが放出された放出元の正確な場所、又は呼若しくはＳＭＳがルーティングされたルーティング先の正確な場所の通信を要求する場合に国内当局の要求に応じることが可能でない。
【００５５】
実際に、ＳＡＣは、２バイトにわたって符号化されるので、ＬＡ当たり６５５３５個よりも多くのＳＡを有することが可能でない。したがって、ネットワークに存在するフェムトセルと同数のＳＡを設けること（これによって、精細なロケーションの問題は解決されたことになる）は考えられず、幾つかのフェムトセルは、削減した数のＳＡに必ず収集されなければならず、したがって、各ＳＡは、多くの数のフェムトセルを含む。
【００５６】
しかしながら、本発明の方法は、図３を参照して以下で説明するように、移動ネットワークが、フェムトセルに結合された移動電話に向けた呼のルーティング時に、必要とされる精細なロケーションを求めることを可能にする。
【００５７】
図３には、このプロセスに関与する以下の様々なエンティティが示されている。
−呼受信側加入者「Ｂ」の移動電話ＭＳ−Ｂ（ＭＳＩＳＤＮ−Ｂ番号によって識別される電話）；
−インターネットボックスＢＯＸと、これに接続されたフェムトセルＦＴとによって形成されたユニット；
−ＭＮＯ側における、
・呼を受信し、特に、ＭＮＯコアネットワークの加入者データベースの問合わせのためにこのネットワークとのインターフェースを確保するゲートウェイ移動交換局ＧＭＳＣ；
・特に、各加入者のＭＳＩＳＤＮについて、そのＩＭＳＩ（ＭＳ端末のＵＳＩＭモジュールに記憶された国際番号）と、この加入者のプロファイル及びネットワーク内のそのロケーション、特に、この加入者の最新の既知の位置を規定する或る特定の数の情報要素とを、対応するＶＭＳＣの識別情報とともに記憶するホームロケーションレジスタＨＬＲデータベース；
・特に、図２を参照して上記で説明した移動ネットワークのサービスエリアＳＡ及びロケーションエリアＬＡに対応するサービスが申告されるインテリジェントネットワーク（ＩＮ）サービスプラットフォームであるＳＣＰ（サービス制御ポイント）。このＳＣＰサービスプラットフォームは、例えば、３ＧＰＰの仕様のＣＡＭＥＬ（移動ネットワーク強化ロジック用のカスタマイズされたアプリケーション）アーキテクチャ又はＩＮＡＰ（インテリジェントネットワークアプリケーションプロトコル）アーキテクチャの原理に従って作成されたプラットフォームである；
・その機能が、特にＶＭＳＣからコアネットワークによってサブミットされるロケーション要求を受信及び処理することであるゲートウェイ移動ロケーションセンターＧＭＬＣプラットフォーム。そのようなロケーション要求は、場合に応じて、ネットワークの他のエンティティによって処理されることができる；
・ネットワーク内の通信ルーティングと、他の移動ネットワーク又は固定ネットワークとの相互接続とを担当するエンティティである在圏移動交換局ＶＭＳＣ；並びに
・アクセス機能及びセキュリティ機能用の、移動ネットワークとフェムトセルとのインターフェースを確保するセキュリティゲートウェイ／フェムトゲートウェイＳＧＷ／ＦＧＷ。特に、インターネットボックスがリセットされたとき、ＳＧＷゲートウェイは、フェムトセルがこのインターネットボックスに設置されていることを認識し、このフェムトセルの特性を記憶する。
【００５８】
ＭＮＯネットワークに着信した呼を受信すると、ＧＭＣＳは、呼受信側加入者ＢのＭＳＩＳＤＭをパラメーターとして有するＳｅｎｄ＿Ｒｏｕｔｉｎｇ＿Ｉｎｆｏメッセージを通じて、ＨＬＲ加入者データベースに問合わせする（ステップ＃１）。
【００５９】
返答として、ＨＬＲは、加入者プロファイル情報及びマークを有するＳｅｎｄ＿Ｒｏｕｔｉｎｇ＿Ｉｎｆｏ＿ＡｃｋメッセージをＧＭＳＣに返信する（ステップ＃２）。このマークは、サービスプラットフォームをトリガーすることが必要とされていることを示すとともに、そのサービスプラットフォームがどのプラットフォーム（この場合、ＳＣＰプラットフォーム）であるのかを示すものであり、例えば、ＣＡＭＥＬタイプ又はＩＮＡＰタイプのマークである。
【００６０】
この情報から、ＧＭＳＣは、関係するＳＣＰサービスプラットフォームにＩｎｉｔｉａｌ＿Ｄｅｔｅｃｔｉｏｎ＿Ｐｏｉｎｔ（ＩＤＰ）メッセージを通じてサービス要求を送信する（ステップ＃３）ことによって、このＳＣＰサービスプラットフォームに問合わせする。上記メッセージは、或る特定の数の情報要素を含み、この情報要素は、発呼側の識別情報及び被呼側の識別情報、並びに所与の時点において受信者の移動電話ＭＳ−Ｂが接続されるＶＭＳＣの識別情報を含む。そのような情報は、ＨＬＲデータベースに記憶されている。
【００６１】
この段階において、コアネットワークは、呼受信者の状況について、関係しているＶＭＳＣの識別情報しか知らない。この識別情報は、非常に粗いものであっても、実際のロケーション情報を与えるものではない。なぜならば、ＭＮＯが幾つかのＶＭＳＣを管理する場合であっても、これらのＶＭＳＣは、地理的エリアに実際に対応するものではないからである。
【００６２】
ＩＤＰ要求を受信すると、ＳＣＰプラットフォームは、以下の２つの一連の動作を同時に開始する。
−従来からのものであり、本発明の枠組み内で変更されていない手順である、ＶＭＳＣに向けた呼のルーティング、及び
−受信側移動電話がフェムトセルに結合された場合の粗いロケーション要求及び精細なロケーション要求の本発明に固有の手順（まだ確定していない詳細）。
【００６３】
呼ルーティング手順は、ＳＣＰプラットフォームがＩＤＰ要求の受信の肯定応答をＧＭＳＣゲートウェイに送信した（ステップ＃４）後に、ＧＭＳＣゲートウェイが、ＨＬＲデータベースに送信されるＳｅｎｄ＿Ｒｏｕｔｉｎｇ＿Ｉｎｆｏメッセージを放出する（ステップ＃５）ことにある。ＨＬＲデータベースは、ローミング番号を要求するＰｒｏｖｉｄｅ＿Ｒｏａｍｉｎｇ＿Ｎｕｍｂｅｒ要求をＶＭＳＣに送信する（ステップ＃６）。この番号は、ＭＳＲＮ（移動加入者ローミング番号）であり、ＶＭＳＣによって、Ｐｒｏｖｉｄｅ＿Ｒｏａｍｉｎｇ＿Ｎｕｍｂｅｒ＿Ａｃｋメッセージを用いてＨＬＲデータベースに返信される（ステップ＃７）。ＭＳＲＮは、次に、ＨＬＲデータベースを介して、Ｓｅｎｄ＿Ｒｏｕｔｉｎｇ＿Ｉｎｆｏ＿Ａｃｋメッセージを通じてＧＭＳＣゲートウェイに返信される（ステップ＃８）。ＧＭＳＣゲートウェイは、関係しているＶＭＳＣにこの情報を転送する（ステップ＃９）。
【００６４】
第２に、呼のルーティングと同時に、ＳＣＰサービスプラットフォームは、ＧＭＬＣロケーションプラットフォームにロケーション要求をＴＣＰ＿Ｒｅｑｕｅｓｔ＿Ｌｏｃａｔｉｏｎメッセージとして送信する（ステップ＃１０）。このメッセージは、特に以下のものを含む。
−呼受信者のＭＳＩＳＤＮ−Ｂ識別子及びＩＭＳＩ−Ｂ識別子、
−呼が通過しなければならないＶＭＳＣの識別子、並びに
−呼がＧＭＳＣ上に提供されるとすぐに呼に割り当てられる呼識別子。
【００６５】
粗いフェムトセルロケーション情報及び精細なフェムトセルロケーション情報（呼がそのようなフェムトセルを通過しなければならない場合。これは、まだ確定されていない）を得るために、ＧＭＬＣは、呼受信者のＩＭＳＩ−Ｂ識別子をパラメーターとして有するＰＳＩ（加入者情報提供）要求タイプのメッセージによって、関係しているＶＭＳＣ（すなわち、その識別情報がＴＣＰ＿Ｒｅｑｕｅｓｔ＿Ｌｏｃａｔｉｏｎメッセージ内に示されるもの）に粗いロケーション要求を送信する（ステップ＃１２）。
【００６６】
返答として、ＶＭＳＣは、ＰＳＩ要求に肯定応答するためのＰＳＩ＿ＡｃｋメッセージをＧＭＬＣプラットフォームに送信する（ステップ＃１３）。このＰＳＩ＿Ａｃｋメッセージは、ネットワークのＰＬＭＮ識別子と、呼受信者セルのＬＡエリア及びＳＡエリアを識別するＬＡＣコード及びＳＡＣコードとを含むＬＡＩ（ロケーションエリア識別情報）フィールドを含む。実際には、受信側移動電話ＭＳ−Ｂを用いる加入者が、自身の装置をオンにしたときに、自身のロケーションをネットワークに必然的に記録している限り、これらのＬＡＣ及びＳＡＣは、ＶＭＳＣによって知られている。したがって、その最新の位置は、ＳＧＷ／ＦＧＷゲートウェイ及びＶＭＳＣによって知られている。
【００６７】
粗いロケーションデータＬＡＣ／ＳＡＣを含むＰＳＩ＿Ａｃｋメッセージを受信すると、ＧＭＬＣプラットフォームは、次に、ＬＡＣが、フェムトセルを収集している特定のＬＡＣであるか否かを調べる（ステップ＃１４）。
【００６８】
そうである場合、ＧＭＬＣプラットフォームは、ＶＭＳＣに精細なロケーション要求をＰＳＬ（加入者ロケーション提供）要求として送信する（ステップ＃１５）。
【００６９】
このＰＳＬ要求を受信すると、ＶＭＳＣは、フェムトセルにロケーション報告制御要求（３ＧＰＰの仕様による）、すなわち、関係しているセルの精細なロケーションを求める要求を送信する（ステップ＃１６）。並行して、移動電話ＭＳ−Ｂをアクティブ化して、移動電話ＭＳ−Ｂが呼を受信することができる状態にするために、ページング制御メッセージがフェムトセルを介して移動電話ＭＳ−Ｂに送信される。
【００７０】
ロケーション報告制御要求を受信すると、フェムトセルは、以下のものを収集する（ステップ＃１７）。
−インターネットボックスのＩＰアドレス（便宜のため、インターネットボックス内への挿入後のフェムトセルのリセット時にフェムトセルに１回限り記憶されている）。このＩＰアドレスによって、特に、必要な場合には、インターネットボックスのＩＳＰ所有者の加入者の物理アドレス及び識別情報を見つけることが可能になる；及び
−インターネットボックス（したがって、フェムトセル）が位置している場所のＩＮＳＥＥコード。この情報要素は、ＩＳＰによって知られている。なぜならば、ＩＳＰは、インターネットボックスが接続されている有線ベースのライン又は光固定ラインの終端が位置している場所を知っており、この情報要素は、インターネットボックスの初期化時又はリセット時に当該インターネットボックスに送信されているからである。
【００７１】
これらの２つの情報要素であるＩＰアドレス及びＩＮＳＥＥコードは、基地局のアンテナの位置の地理的緯度及び経度の座標の代わりに、ロケーション報告メッセージ（３ＧＰＰの仕様による）にカプセル化することによってＶＭＳＣに送信される（ステップ＃１８）。上記地理的緯度及び経度の座標は、マクロセルのｅＮｏｄｅＢ基地局から得られる従来のロケーション報告メッセージで通常送信される情報である。
【００７２】
ネットワークのアンテナの従来のジオロケーションの情報の代わりにフェムトセルに固有の情報をカプセル化するこの技法によって、上記仕様によって提供される従来のメッセージ及びプロトコルを変更することなく用いることが可能になり、したがって、この手順に関与するネットワークであるＩＳＰネットワーク及びＭＮＯネットワークの双方内におけるプロトコルレイヤの管理、適合性制御、パケット検証等における変更はない。
【００７３】
もちろん、インターネットボックス内又はフェムトセル内で既知であるか又は得られる他のロケーション情報を本例で述べたロケーション情報（ＩＰアドレス及びＩＮＳＥＥコード）の変形形態として又は補足として用いることができる。
【００７４】
フェムトセルに関するデータを含むロケーション報告メッセージを受信すると、ＶＭＳＣは、精細なロケーション情報（ＩＰアドレス＋ＩＮＳＥＥコード）を組み込んだ「ＬＣＳ（ロケーションサービス）チケット」タイプのメッセージを、ＧＭＬＣプラットフォームに送信される（ステップ＃２０）ＰＳＬ＿Ａｃｋ（加入者ロケーション肯定応答提供）メッセージにして生成する（ステップ＃１９）。このメッセージは、ステップ＃１５においてＧＭＬＣによって事前に放出された精細なロケーション要求のＰＳＬメッセージに対する返答である。
【００７５】
この情報に基づくと、ＧＭＬＣは、特に以下のものを含む強化された「チャージングチケット」又はＣＤＲ（呼詳細記録）を生成する（ステップ＃２１）ことができる。
−被呼側（受信者Ｂ）の番号、
−発呼側Ａの番号、
−タイムスタンプ、
−受信側加入者Ｂが位置しているフェムトセルの粗いロケーション（ＳＡＣ＋ＬＡＣ）及び精細なロケーション（ＩＰアドレス＋ＩＮＳＥＥコード）。
【図１】
2015104129.tif 000003
【図２】
2015104129.tif 000004
【図３】
2015104129.tif 000005